【手続補正書】
【提出日】平成16年8月3日(2004.8.3)
【手続補正１】
【補正対象書類名】明細書
【補正対象項目名】発明の名称
【補正方法】変更
【補正の内容】
【発明の名称】電子写真装置及び電子写真感光体
【手続補正２】
【補正対象書類名】明細書
【補正対象項目名】特許請求の範囲
【補正方法】変更
【補正の内容】
【特許請求の範囲】
【請求項１】
電子写真感光体と、該電子写真感光体にトナーにより画像を形成するトナー像形成手段と、該電子写真感光体に接触する中間転写体と、該電子写真感光体に形成されたトナー像を、該中間転写体の第１の転写位置で該中間転写体に１次転写するための手段と、該中間転写体に転写されたトナー像を、該中間転写体の第２の転写位置で転写材に２次転写する転写手段とを有する電子写真装置において、該電子写真感光体の表面層が少なくとも下記一般式（１）で示される構成単位を有するポリアリレート樹脂を含有することを特徴とする電子写真装置：
【化１】
2004093862.tif 000001
（式中、Ｒ1〜Ｒ4は水素原子、炭素数１〜３のアルキル基またはアリール基を示す。ただし、Ｒ1とＲ2の両方が水素原子となることはなく、かつＲ3とＲ4の両方が水素原子となることはない）。
【請求項２】
前記表面層が少なくとも下記一般式（２）で示される構成単位を有するポリアリレート樹脂を含有する請求項１に記載の電子写真装置：
【化２】
2004093862.tif 000002
（式中、Ｒ5〜Ｒ8は水素原子、炭素数１〜３のアルキル基またはアリール基を示す。ただし、Ｒ5とＲ6の両方が水素原子となることはなく、かつＲ7とＲ8の両方が水素原子となることはない。Ｒ9〜Ｒ12は水素原子、炭素数１〜５のアルキル基、アリール基、炭素数１〜５のアルコキシ基またはハロゲン原子を示す。また、Ｘ1は単結合または−ＣＲ13Ｒ14−を示す。Ｒ13及びＲ14は水素原子、ハロゲン原子、アルキル基、アリール基またはＲ13及びＲ14が結合することによって形成されるアルキリデン基を示す。ｎ及びｍは共重合比を示す）。
【請求項３】
前記表面層が少なくとも下記式（３）で示される構成単位を有するポリアリレート樹脂を含有する請求項２に記載の電子写真装置：
【化３】
2004093862.tif 000003
（式中、ｓ及びｔは共重合比を示す）。
【請求項４】
前記表面層が少なくとも下記一般式（４）で示される構成単位を有するポリカーボネート樹脂を含有する請求項１〜３のいずれかに記載の電子写真装置：
【化４】
2004093862.tif 000004
（式中、Ｒ15〜Ｒ18は水素原子、炭素数１〜５のアルキル基、アリール基、炭素数１〜５のアルコキシ基またはハロゲン原子を示す。また、Ｘ2は単結合または−ＣＲ19Ｒ20−を示す。Ｒ19及びＲ20は水素原子、ハロゲン原子、アルキル基、アリール基またはＲ19及びＲ20が結合することによって形成されるアルキリデン基を示す）。
【請求項５】
前記表面層がクシ型シリコン系グラフトポリマーを含有する請求項１〜４のいずれかに記載の電子写真装置。
【請求項６】
前記表面層がフッ素系樹脂粉体を含有する請求項１〜５のいずれかに記載の電子写真装置。
【請求項７】
前記電子写真感光体と前記中間転写体が周速差を持って回転する請求項１〜６のいずれかに記載の電子写真装置。
【請求項８】
前記電子写真感光体と前記中間転写体の周速差が下記式を満足する請求項７に記載の電子写真装置：
100.1≦（Ｖｄ／Ｖｉ）×100≦105 または 100.1≦（Ｖｉ／Ｖｄ）×100≦105
Ｖｄ：ドラムの線速度、Ｖｉ：中間転写体の線速度。
【請求項９】
前記電子写真感光体と前記中間転写体の周速差が下記式を満足する請求項８に記載の電子写真装置：
100.1≦（Ｖｄ／Ｖｉ）×100≦103  または100.1≦（Ｖｉ／Ｖｄ）×100≦103。
【請求項１０】
複数色のトナー像をそれぞれ担持する複数の前記電子写真感光体と、前記複数の電子写真感光体と接触し、前記電子写真感光体からトナー像が転写される前記中間転写体とを有する請求項１〜９のいずれかに記載の電子写真装置。
【請求項１１】
請求項１〜１０のいずれかに記載の電子写真装置に用いられることを特徴とする電子写真感光体。
【請求項１２】
感光ドラムと、該感光ドラムに接して配置されている中間転写体とを具備し、該感光ドラム上に形成されたトナー像を該中間転写体表面に１次転写し、該中間転写体上の１次転写されたトナー像を転写材に２次転写する電子写真装置において、該感光ドラム及び該中間転写体の各々は、該電子写真装置の作動時において、線速Ｖｄ及びＶｉで回転駆動され、該Ｖｄ及び該Ｖｉは、下記式で示される関係を満たすものであり、
100.1≦（Ｖｄ／Ｖｉ）×100≦105
又は
100.1≦（Ｖｉ／Ｖｄ）×100≦105
且つ該感光ドラムは、下記一般式（１）で示される構成単位を有するポリアリレート樹脂を含有している表面層を有していることを特徴とする電子写真装置：
【化１２】
2004093862.tif 000005
（上記一般式（１）中、Ｒ1〜Ｒ4は水素原子、炭素数１〜３のアルキル基またはアリール基を示す。ただし、Ｒ1とＲ2の両方が水素原子となることはなく、かつＲ3とＲ4の両方が水素原子となることはない）。
【請求項１３】
前記ポリアリレート樹脂が、前記一般式（１）で示される構成単位と、下記一般式（５）で示される構成単位と、の共重合体である請求項１２に記載の電子写真装置：
【化１３】
2004093862.tif 000006
（上記一般式（５）中、Ｒ21〜Ｒ24は水素原子、炭素数１〜５のアルキル基、アリール基、炭素数１〜５のアルコキシ基またはハロゲン原子を示す。また、Ｘ3は単結合または−ＣＲ25Ｒ26−を示す。Ｒ25及びＲ26は水素原子、ハロゲン原子、アルキル基、アリール基またはＲ25及びＲ26が結合することによって形成されるアルキリデン基を示す）。
【請求項１４】
前記一般式（１）で示される構成単位が、下記式（１−４）で示され、前記一般式（５）で示される構成単位が、下記式（５−２）で示されるものである請求項１３に記載の電子写真装置：
【化１４】
2004093862.tif 000007
【化１５】
2004093862.tif 000008
【請求項１５】
前記共重合体の共重合比率（一般式（１）／一般式（５））が、９５／５〜５／９５である請求項１３又は１４に記載の電子写真装置。
【請求項１６】
前記共重合比率が、８０／２０〜２０／８０である請求項１５記載の電子写真装置。
【請求項１７】
前記中間転写体の表面粗さRa及びRzが各々０.０１〜２μｍ及び０.１〜８μｍである請求項１２〜１６の何れかに記載の電子写真装置。
【請求項１８】
前記感光ドラムを４つ有し、その全てが該中間転写体に接している請求項１２〜１７の何れかに記載の電子写真装置。
【手続補正３】
【補正対象書類名】明細書
【補正対象項目名】０００１
【補正方法】変更
【補正の内容】
【０００１】
【発明の属する技術分野】
本発明は、電子写真装置、該電子写真装置に用いられる電子写真感光体に関する。
【手続補正４】
【補正対象書類名】明細書
【補正対象項目名】００１２
【補正方法】変更
【補正の内容】
【００１２】
従って、本発明の目的は、中間転写体との摺擦、特に電子写真感光体と中間転写体の間に周速差のある場合の摺擦に対する電子写真感光体の耐トナー融着性、耐キズ性及び耐削れ性が良好であるため感光体寿命が長く、優れた画像再現性が長期間保たれる電子写真装置、該電子写真装置に用いられる電子写真感光体を提供することにある。
【手続補正５】
【補正対象書類名】明細書
【補正対象項目名】００１４
【補正方法】変更
【補正の内容】
【００１４】
【化５】
2004093862.tif 000009
（式中、Ｒ1〜Ｒ4は水素原子、炭素数１〜３のアルキル基またはアリール基を示す。ただし、Ｒ1とＲ2の両方が水素原子となることはなく、かつＲ3とＲ4の両方が水素原子となることはない）。
また、本発明は、感光ドラムと、該感光ドラムに接して配置されている中間転写体とを具備し、該感光ドラム上に形成されたトナー像を該中間転写体表面に１次転写し、該中間転写体上の１次転写されたトナー像を転写材に２次転写する電子写真装置において、該感光ドラム及び該中間転写体の各々は、該電子写真装置の作動時において、線速Ｖｄ及びＶｉで回転駆動され、該Ｖｄ及び該Ｖｉは、下記式で示される関係を満たすものであり、
100.1≦（Ｖｄ／Ｖｉ）×100≦105
又は
100.1≦（Ｖｉ／Ｖｄ）×100≦105
且つ該感光ドラムは、上記一般式（１）で示される構成単位を有するポリアリレート樹脂を含有している表面層を有していることを特徴とする電子写真装置である。
（上記一般式（１）中、Ｒ1〜Ｒ4は水素原子、炭素数１〜３のアルキル基またはアリール基を示す。ただし、Ｒ1とＲ2の両方が水素原子となることはなく、かつＲ3とＲ4の両方が水素原子となることはない）。
また、本発明は、上記電子写真装置に用いられる電子写真感光体である。
【手続補正６】
【補正対象書類名】明細書
【補正対象項目名】０１３７
【補正方法】変更
【補正の内容】
【０１３７】
【発明の効果】
本発明によれば、中間転写体との摺擦、特に電子写真感光体と中間転写体の間に周速差のある場合の摺擦に対する電子写真感光体の耐トナー融着性、耐キズ性及び耐削れ性が良好であるため感光体寿命が長く、優れた画像再現性が長期間保たれる電子写真装置、該電子写真装置に用いられる電子写真感光体を可能にした。